(57)【特許請求の範囲】
【請求項１】
接着剤を介して接合され連続して配置される複数の要素部材を備える光学素子ユニットであって、
前記複数の要素部材は、レンズと、鏡筒及び絞りのうち少なくとも一方とを含み、
前記レンズと、前記鏡筒及び前記絞りのうち少なくとも一方と、前記接着剤とは、同一の線膨張係数を有する材料で形成されており、
前記レンズと、前記鏡筒及び前記絞りのうち少なくとも一方と、前記接着剤とは、それぞれ同一のモノマーを９０％以上有するエネルギー硬化性樹脂で形成され、
前記レンズと、前記鏡筒及び前記絞りのうち少なくとも一方とは、２次元的に配列された複数の光学素子を有するとともに一体成形されるアレイ部品を含む複数のアレイ部品を積層して接着して得た積層体を前記複数の光学素子の配列に合わせて切断することによって形成される光学素子ユニット。
【請求項２】
前記複数の要素部材は、フィルタを含むことを特徴とする請求項１に記載の光学素子ユニット。
【請求項３】
請求項１及び２のいずれか一項に光学素子ユニットと、
前記光学素子ユニットによって形成された像を信号に変換する撮像素子と
を備える撮像装置。
【発明の詳細な説明】
【技術分野】
【０００１】
本発明は、携帯電話機等に搭載する撮像装置に利用される光学素子ユニット及びこれを組み込んだ撮像装置に関する。
【背景技術】
【０００２】
近年においては、携帯電話機等に撮像装置を組み込むことが通常行われている。この種の撮像装置は、基板上にレンズ等の光学素子を接合し、光学素子を介して固体撮像素子の受光面に被写体像を結像させるようになっている。
【０００３】
以上の撮像装置に関しては、製造プロセス簡略化のため、複数のイメージセンサがアレイ状に形成されるウェハの第１主面上に複数の光学レンズを有するレンズアレイを接着するともに、レンズアレイが接着されたウェハをイメージセンサの配列に合わせて分割し、各固体撮像装置を形成する方法がある（特許文献１参照）。また、撮像装置に組み込まれるレンズユニットの製造方法として、レンズアレイ、フィルタアレイ等である複数の光学素子アレイを個々の素子の光軸が一致するように重ねてから、切断線で切断するものもある（特許文献２参照）。
【特許文献１】特開２００２−２９０８４２号公報
【特許文献２】特開２００４−８８７１３号公報
【発明の開示】
【発明が解決しようとする課題】
【０００４】
しかし、複数の光学素子アレイを積層してレンズユニットを製造する場合、個々の光学素子の材質の違いにより、使用環境下で各光学素子の膨張量に差が生じる。この結果、いずれかの光学素子に歪みが発生し、光学素子間の接着のはがれ、延いてはレンズユニットの破損の原因となる場合がある。
【０００５】
そこで、本発明は、積層した光学素子間の接着にはがれが生じにくい光学素子ユニット及びこれを組み込んだ撮像装置を提供することを目的とする。
【課題を解決するための手段】
【０００６】
上記課題を解決するため、本発明に係る光学素子ユニットは、接着剤を介して接合され連続して配置される複数の要素部材を備える光学素子ユニットであって、複数の要素部材としてのレンズと鏡筒及び絞りのうち少なくとも一方と、接着剤とは、同一の線膨張係数を有する材料で形成されていることを特徴とする。
【０００７】
上記光学素子ユニットでは、これを構成する複数の要素部材すなわちレンズと鏡筒及び絞りのうち少なくとも一方と、接着剤とが同一の線膨張係数を有する材料で形成されているので、要素部材相互に膨張量の差が発生せず、各要素部材に歪みが発生することを防止できる。これにより、要素部材間で接着のはがれが生じること、延いては光学素子ユニットが破損することを防止できる。なお、以上において、「同一の線膨張係数」とは、各要素部材に接着はがれの要因となる歪みを発生させない程度に各要素部材間に線膨張係数の差が存在する場合を含むものとする。
【０００８】
本発明の具体的な態様では、上記光学素子ユニットにおいて、複数の要素部材が、レンズと鏡筒及び絞りのうち少なくとも一方とに対して、フィルタを組み合わせたものであることを特徴とする。この場合、レンズ、鏡筒又は絞り、及びフィルタを互いに接合した光学素子ユニットを提供することができ、レンズ、鏡筒、絞り、又はフィルタが互いに剥離して光学素子ユニットの破損の原因となることを防止できる。
【０００９】
本発明の別の態様では、複数の要素部材が、それぞれ同一のモノマーを９０％以上有する材料で形成されることを特徴とする。この場合、複数の要素部材の線膨張係数を一致させ易く、接着の際の相性も良好なものとし易い。
【００１０】
本発明のさらに別の態様では、複数の要素部材が、それぞれエネルギー硬化性樹脂で形成されることを特徴とする。この場合、半田リフロー等の加熱環境に耐え得る優れた光学素子ユニットを提供することができる。
【００１１】
本発明のさらに別の態様では、接着剤が、複数の要素部材と略同一の線膨張係数を有する材料で形成されていることを特徴とする。この場合、要素部材と接着剤との間に応力が発生することを防止でき、要素部材の接着箇所でのはがれを抑えることができる。
【００１２】
本発明のさらに別の態様では、接着剤が、複数の要素部材のうち接合の対象となる一対の要素部材の材料を構成するモノマーと同一のモノマーを９０％以上有する材料で形成されることを特徴とする。この場合、一対の要素部材と接着剤との材料の近似性により良好な接着性が得られる。なお、光学素子ユニットを構成する要素部材全部と、それらを接着する接着剤とを、同一のモノマーを９０％以上有する類似材料で形成する場合、光学素子ユニットを廃棄処分する際に、一括廃棄処理が可能になる。
【００１３】
本発明のさらに別の態様では、複数の要素部材が、２次元的に配列された複数の光学素子を有するとともに一体成形されるアレイ部品を含む複数のアレイ部品を積層して接着して得た積層体を複数の光学素子の配列に合わせて切断することによって形成される。この場合、位置合わせの工程を低減して光学素子ユニットの簡易な量産を可能にする。なお、光学素子ユニットを構成する全ての要素部材を同一のモノマーを９０％以上有する類似材料で形成する場合、複数の要素部材に対応する複数のアレイを成形する際の硬化収縮と複数のアレイの冷却時の収縮とが略同一になるので、複数のアレイをそのまま積層する場合であっても、複数のアレイを成形するための金型の寸法を一致させるだけで、接合された複数の要素部材間の位置ずれを簡易に防止できる。また、光学素子ユニットを構成する全ての要素部材と、それらを接着する接着剤とを同一のモノマーを９０％以上有する類似材料で形成する場合、光学素子ユニットの分離に際して良好な切断性が得られる。
【００１４】
本発明に係る撮像装置は、上述の光学素子ユニットと、光学素子ユニットによって形成された像を信号に変換する撮像素子とを備える。この場合、破損を防止した光学素子ユニットを有し耐久性に優れる撮像装置を提供することができる。
【発明を実施するための最良の形態】
【００１５】
〔第１実施形態〕
以下、本発明の第１実施形態に係る光学素子ユニットと撮像装置とを図面を用いて説明する。
【００１６】
図１は、撮像装置の構造を説明する側方断面図である。この撮像装置１０は、直方体状の装置であり、像を形成ための結像部２０と、結像部２０によって形成された像を検出する撮像素子３０とを備える。
【００１７】
ここで、結像部２０は、レンズ部２１と、赤外吸収フィルタ２３と、絞り板２５とを備える結像用の光学素子ユニットである。
【００１８】
レンズ部２１は、それ自体でも光学素子ユニットを構成し、要素部材又は光学素子として、第１レンズ２１ａと、第２レンズ２１ｂと、第３レンズ２１ｃとを備える。レンズ部２１は、透明樹脂からなり、例えば射出成形によって３つのレンズアレイを準備し、これら３つのレンズアレイの積層・接着後に素子単位に切断することで得られる。これらの第１レンズ２１ａと第２レンズ２１ｂと第３レンズ２１ｃとは、線膨張係数が一致する材料で形成されているが、この場合、組成的に類似するプラスチック材料で形成される。具体的には、各レンズ２１ａ，２１ｂ，２１ｃは、それぞれ同一のモノマーを９０％以上有する材料で形成されている。例えば、各レンズ２１ａ，２１ｂ，２１ｃの材料が複数のモノマーで形成される多成分のポリマーである場合、各モノマーごとの共通量の総和が９０％以上であることを意味する。ここで、各レンズ２１ａ，２１ｂ，２１ｃに共通する材料であるモノマーとしては、例えばシリコーン樹脂、アリルエステル、アクリル系樹脂、エポキシ系樹脂、ポリイミド、ウレタン系樹脂等を使用することができる。これらの材料は、熱硬化性樹脂、ＵＶ硬化樹脂等のエネルギー硬化性樹脂である。このようなエネルギー硬化性樹脂を用いた場合、半田リフロー等の加熱環境に耐え得る優れたレンズ部２１を提供することができる。なお、各レンズ２１ａ，２１ｂ，２１ｃの中央部は、それぞれが光学素子であるレンズ本体２１ｅ，２１ｆ，２１ｇとなっており、全体として入射光Ｌを撮像素子３０上に結像させる。
【００１９】
各レンズ２１ａ，２１ｂ，２１ｃの外周のフランジ部は、接着剤層２２ａ，２２ｂによって互いに固定されている。第１レンズ２１ａと第２レンズ２１ｂとを接合する接着剤層２２ａは、両レンズ２１ａ，２１ｂと線膨張係数が一致する材料で形成されているが、この場合、これらは特に組成的に類似するプラスチック材料で形成されている。具体的には、接着剤層２２ａは、両レンズ２１ａ，２１ｂの材料と同一のモノマーを９０％以上有するＵＶ硬化樹脂等のエネルギー硬化性樹脂材料で形成される。ここで、各レンズ２１ａ，２１ｂが複数のモノマーを含む多成分のポリマーで形成されるときは、両レンズ２１ａ，２１ｂと接着剤２２ａとを構成する各モノマーごとの共通量の総和が９０％以上であることを意味する。一方、第２レンズ２１ｂと第３レンズ２１ｃとを接合する接着剤層２２ｂは、両レンズ２１ｂ，２１ｃと線膨張係数が一致する材料で形成されているが、この場合、これらは特に組成的に類似するプラスチック材料で形成される。具体的には、接着剤層２２ｂは、両レンズ２１ｂ，２１ｃの材料と同一のモノマーを９０％以上有するＵＶ硬化樹脂等のエネルギー硬化性樹脂材料で形成される。ここで、各レンズ２１ｂ，２１ｃが複数のモノマーを含む多成分のポリマーで形成されるときは、接着剤２２ｂと両レンズ２１ｂ，２１ｃとを構成する各モノマーごとの共通量の総和が９０％以上であることを意味する。
【００２０】
以上のように、３つの連続するレンズ２１ａ，２１ｂ，２１ｃは、外周のフランジ部で接合されて一体となってレンズ部２１を形成しているが、３つのレンズ２１ａ，２１ｂ，２１ｃの外周のフランジ部が全体として、レンズ本体２１ｅ，２１ｆ，２１ｇを支持するための鏡筒２７として機能している。
【００２１】
赤外吸収フィルタ２３は、結像部２０を構成する要素部材であり、レンズ部２１を通過した光線から不要な赤外光を除去することによって撮像素子３０による検出像が劣化することを防止している。赤外吸収フィルタ２３は、赤外吸収成分を添加した樹脂製で、例えば射出成形によって形成される。具体的には、赤外吸収フィルタ２３は、第３レンズ２１ｃの材料と同一のモノマーを９０％以上有するエネルギー硬化性樹脂材料で形成されている。赤外吸収フィルタ２３が複数のモノマーを含む多成分のポリマーで形成されるときは、赤外吸収フィルタ２３と第３レンズ２１ｃとを構成する各モノマーごとの共通量の総和が９０％以上であることを意味する。
【００２２】
赤外吸収フィルタ２３は、接着剤層２４ａによってレンズ部２１に固定されている。赤外吸収フィルタ２３と第３レンズ２１ｃとを接合する接着剤層２４ａは、赤外吸収フィルタ２３や第３レンズ２１ｃと線膨張係数が一致する材料で形成されているが、この場合、これらは特に組成的に類似するプラスチック材料で形成される。具体的には、接着剤層２４ａは、赤外吸収フィルタ２３や第３レンズ２１ｃの材料と同一のモノマーを９０％以上有する材料で形成されている。ここで、赤外吸収フィルタ２３等が複数のモノマーを含む多成分のポリマーで形成されるときは、接着剤２４ａと赤外吸収フィルタ２３等とを構成する各モノマーごとの共通量の総和が９０％以上であることを意味する。
【００２３】
絞り板２５は、結像部２０を構成する要素部材であり、レンズ部２１に不要な光線が入射することを防止している。絞り板２５は、光吸収成分を添加した樹脂製で、例えば射出成形によって形成される。具体的には、絞り板２５は、第１レンズ２１ａの材料と同一のモノマーを９０％以上有するエネルギー硬化性樹脂材料で形成されている。絞り板２５が複数のモノマーを含む多成分のポリマーで形成されるときは、絞り板２５と第１レンズ２１ａとを構成する各モノマーごとの共通量の総和が９０％以上であることを意味する。
【００２４】
絞り板２５は、接着剤層２６ａによってレンズ部２１に固定されている。絞り板２５と第１レンズ２１ａとを接合する接着剤層２６ａは、絞り板２５や第１レンズ２１ａと線膨張係数が一致する材料で形成されているが、この場合、これらは特に組成的に類似するプラスチック材料で形成される。具体的には、接着剤層２６ａは、絞り板２５や第１レンズ２１ａの材料と同一のモノマーを９０％以上有する材料で形成されている。ここで、絞り板２５等が複数のモノマーを含む多成分のポリマーで形成されるときは、接着剤２６ａと絞り板２５等とを構成する各モノマーごとの共通量の総和が９０％以上であることを意味する。
【００２５】
撮像素子３０は、例えばＣＭＯＳ型のイメージセンサ等を含む半導体集積回路を表面に形成した回路チップであり、表面側に投射像を電気信号に変換する受光領域ＳＡを有している。撮像素子３０は、接着剤層３１によって結像部２０すなわち赤外吸収フィルタ２３に固定されている。この場合、撮像素子３０と赤外吸収フィルタ２３とを接合する接着剤層３１は、例えば赤外吸収フィルタ２３と線膨張係数が一致する材料で形成される。
【００２６】
なお、以上の説明では省略したが、結像部２０や撮像素子３０の側面に遮光体４０を設けることもできる。遮光体４０は、筒状の部材として結像部２０の周囲に固定することもできるが、筐体として結像部２０等を収納する構造とすることもできる。
【００２７】
また、以上で説明した接着剤層２２ａ，２２ｂ，２４ａ、２６ａ等は、透明な樹脂材料に限らず、黒色その他の遮光性の材料で形成することができる。この場合、接着剤層２２ａ，２２ｂ，２４ａ、２６ａに絞りとしての効果を持たせることができ、絞り板２５を省略することもできる。
【００２８】
図２は、レンズ部２１の製造方法の一例を説明するための図であり、図２（Ａ）は、レンズ部２１の母材となる積層体５０の平面図であり、図２（Ｂ）は、積層体５０の側面図である。積層体５０は、３つのレンズアレイ５１，５２，５３を積層して接着したものであり、中央側の本体部分５４に多数のレンズ部２１を２次元配列した構造を有し、周囲側に光学的に使用されないフランジ５５を有している。第１レンズアレイ５１は、第１レンズ２１ａを２次元的に配列したものであり、各第１レンズ２１ａの間には、連結部６６ａが形成されている。同様に、第２レンズアレイ５２は、第２レンズ２１ｂを２次元的に配列したものであり、各第２レンズ２１ｂの間には、連結部６６ｂが形成されている。さらに、第３レンズアレイ５３は、第３レンズ２１ｃを２次元的に配列したものであり、各第３レンズ２１ｃの間には、連結部６６ｃが形成されている。これらのレンズアレイ５１，５２，５３は、例えばフランジ部５５ａ，５５ｂ，５５ｃで互いにアライメントされており、上述の接着剤層２２ａ，２２ｂによって互いに固定されている。なお、積層体５０をレンズ部２１間に形成された格子状の隙間部分ＳＰで切断することにより、各レンズ部２１を独立した多数の光学素子ユニットに分割することができる。
【００２９】
図３は、積層体５０の製造工程を説明する図であり、図３（Ａ）は、レンズアレイ５１の側面図であり、図３（Ｂ）は、レンズアレイ５２の側面図であり、図３（Ｃ）は、レンズアレイ５３の側面図である。また、図３（Ｄ）は、レンズアレイ５３の製造工程の一例を説明する図である。
【００３０】
各レンズアレイ５１，５２，５３は、射出成形によって個別に形成される。例えばレンズアレイ５３は、図３（Ｄ）に示す一対の金型７１，７２を利用して形成される。具体的には、両金型７１，７２の型締めを行い、金型７１の成形面７１ａと金型７２の成形面７２ａとの間に形成されるキャビティ中に樹脂を射出し加熱硬化することにより、レンズアレイ５３が形成される。他のレンズアレイ５１，５２も、詳細な説明は省略するが同様の手法により形成される。以上のように形成されたレンズアレイ５１，５２，５３は、同一のモノマーを９０％以上有する類似材料で形成されており、成形時の硬化収縮が略同一になり、これらレンズアレイ５１，５２，５３を成形するための金型７１，７２の寸法を相互に一致させるだけで、接合後のレンズ部２１を構成するレンズ２１ａ，２１ｂ，２１ｃ間の位置ずれを簡易に防止できる。
【００３１】
以上の説明から明らかなように、本実施形態の光学素子ユニットである結像部２０では、これを構成する各レンズ２１ａ，２１ｂ，２１ｃが同一の線膨張係数を有する材料で形成されているので、レンズ２１ａ，２１ｂ，２１ｃ相互に膨張量の差が発生せず、各レンズ２１ａ，２１ｂ，２１ｃに歪みが発生することを防止できる。これにより、レンズ２１ａ，２１ｂ，２１ｃ間で接着のはがれが生じること、延いては結像部２０が破損することを防止できる。
【００３２】
なお、以上の説明では、レンズ部２１と、赤外吸収フィルタ２３と、絞り板２５と、撮像素子３０とを別々に製造して組み立てることを前提として説明したが、例えばレンズ部２１と、赤外吸収フィルタ２３と、絞り板２５とを一括して製造することもできる。この場合、レンズ部２１のアレイからなる積層体５０と、赤外吸収フィルタ２３のアレイと、絞り板２５のアレイとを、予めアライメントして積層・接合することにより積層アレイを得る。その後、この積層アレイを隙間部分で切断することにより、独立した結像部２０を得ることができる。また同様にして、詳細は省略するが、レンズ部２１と、赤外吸収フィルタ２３と、絞り板２５と、撮像素子３０とを一括して製造することもできる。
【００３３】
〔第２実施形態〕
図４は、第２実施形態に係る光学素子ユニットを組み込んだ撮像装置の構造を説明する側方断面図である。なお、第２実施形態の撮像装置１１０は、第１実施形態の撮像装置１０を部分的に変更したものであり、特に説明しない部分は第１実施形態と同様であるものとする。
【００３４】
本実施形態の撮像装置１１０を構成する結像部１２０は、上から順に、絞り板２５と、レンズ部１２１と、鏡筒１２７と、赤外吸収フィルタ２３とを備える。
【００３５】
レンズ部１２１は、この場合、透明樹脂からなる単一部品である。赤外吸収フィルタ２３や絞り板２５は、形状等が多少異なるが、第１実施形態のものと実質的に同様の機能を有する。
【００３６】
鏡筒１２７は、独立した部品であり、レンズ部１２１と赤外吸収フィルタ２３との間に介在してこれらの間隔を調整している。
【００３７】
これらの絞り板２５と、レンズ部１２１と、鏡筒１２７と、赤外吸収フィルタ２３とは、線膨張係数が一致するエネルギー硬化性樹脂で形成されているが、この場合、組成的に類似するプラスチック材料で形成される。具体的には、各要素部材２５，１２１，２３，１２７は、それぞれ同一のモノマーを９０％以上有する材料で形成されている。例えば、各要素部材２５，１２１，１２７，２３の材料が複数のモノマーを含む多成分のポリマーで形成される場合、各モノマーごとの共通量の総和が９０％以上であることを意味する。
【００３８】
各要素部材２５，１２１，１２７，２３の外周部は、接着剤層１２４ａ，１２４ｂ，１２６ａによって互いに固定されている。これらの接着剤層１２４ａ，１２４ｂ，１２６ａは、要素部材２５，１２１，１２７，２３と線膨張係数が一致する材料で形成されているが、この場合、特に要素部材２５，１２１，１２７，２３の材料と組成的に類似するプラスチック材料で形成されている。具体的には、接着剤層１２４ａ，１２４ｂ，１２６ａは、要素部材２５，１２１，１２７，２３の材料と同一のモノマーを９０％以上有するＵＶ硬化樹脂等のエネルギー硬化性樹脂材料で形成される。ここで、各要素部材２５，１２１，１２７，２３が複数のモノマーを含む多成分のポリマーで形成されるときは、各要素部材２５，１２１，１２７，２３と、接着剤層１２４ａ，１２４ｂ，１２６ａとを構成する各モノマーごとの共通量の総和が９０％以上となるようにする。
【００３９】
〔第３実施形態〕
図５は、第３実施形態に係る光学素子ユニットを組み込んだ撮像装置の構造を説明する側方断面図である。なお、第３実施形態の撮像装置２１０は、第２実施形態の撮像装置１１０を部分的に変更したものであり、特に説明しない部分は第２実施形態又は第１実施形態と同様であるものとする。
【００４０】
本実施形態の撮像装置２１０を構成する結像部２２０は、上から順に、赤外吸収フィルタ２３と、絞り板２５と、レンズ部１２１と、鏡筒１２７を備える。
【００４１】
これらの赤外吸収フィルタ２３と、絞り板２５と、レンズ部１２１と、鏡筒１２７とは、詳細な説明は省略するが、線膨張係数が一致する組成的に類似するエネルギー硬化性樹脂で形成されている。
【００４２】
各要素部材２３，２５，１２１，１２７の外周のフランジ部は、接着剤層２２４ｃ，１２６ａ，１２４ａ，２２４ｂによって互いに固定されている。これらの接着剤層２２４ｃ，１２６ａ，１２４ａ，２２４ｂは、要素部材２３，２５，１２１，１２７と線膨張係数が一致する材料で形成されているが、この場合、特に要素部材２３，２５，１２１，１２７の材料と組成的に類似するプラスチック材料で形成されている。具体的には、接着剤層２２４ｃ，１２６ａ，１２４ａ，２２４ｂは、要素部材２３，２５，１２１，１２７の材料と同一のモノマーを９０％以上有するＵＶ硬化樹脂等のエネルギー硬化性樹脂材料で形成される。ここで、各要素部材２３，２５，１２１，１２７が複数のモノマーを含む多成分のポリマーで形成されるときは、各要素部材２３，２５，１２１，１２７と、接着剤層２２４ｃ，１２６ａ，１２４ａ，２２４ｂとを構成する各モノマーごとの共通量の総和が９０％以上となるようにする。
【００４３】
以上、実施形態に即して本発明を説明したが、本発明は、上記実施形態に限定されるものではない。例えば、第１実施形態の撮像装置１０において、結像部２０のレンズ部２１を構成するレンズ数は２枚、或いは４枚以上とすることができる。
【００４４】
また、レンズ部２１を構成する各レンズ２１ａ，２１ｂ，２１ｃを成形するためのエネルギー硬化性樹脂は、モノマーが共通する類似の樹脂に限らず、線膨張係数が略一致する限り様々な材料とすることができる。
【００４５】
また、レンズ部２１等を作製するための接着剤は、各レンズ２１ａ，２１ｂ，２１ｃと等しい線膨張係数を有するものに限らず、撮像装置１０の用途等の状況に応じて適切な材料を選択することができる。
【図面の簡単な説明】
【００４６】
【図１】第１実施形態の撮像装置の構造を説明する側方断面図である。
【図２】（Ａ）は、レンズ部の母材となる積層体の平面図であり、（Ｂ）は、積層体の側面図である。
【図３】（Ａ）〜（Ｃ）は、３つのレンズアレイの側面図であり、図３（Ｄ）は、１つのレンズアレイの製造工程の一例を説明する図である。
【図４】第２実施形態の撮像装置の構造を説明する側方断面図である。
【図５】第３実施形態の撮像装置の構造を説明する側方断面図である。
【符号の説明】
【００４７】
１０…撮像装置、  ２０…結像部、  ２１…レンズ部、  ２１ａ…第１レンズ、  ２１ｂ…第２レンズ、  ２１ｃ…第３レンズ、  ２１ｅ，２１ｆ，２１ｇ…レンズ本体、  ２２ａ，２２ｂ，２４ａ、２６ａ…接着剤層、  ２３…赤外吸収フィルタ、  ２５…絞り板、  ２７…鏡筒、  ３０…撮像素子、  ３１…接着剤層、  ４０…遮光体、  ５０…積層体、  ５１，５２，５３…レンズアレイ、  Ｌ…入射光、  ＳＡ…受光領域
【図１】
0005003340.tif 000002
【図２】
0005003340.tif 000003
【図３】
0005003340.tif 000004
【図４】
0005003340.tif 000005
【図５】
0005003340.tif 000006